(57)【特許請求の範囲】
【請求項１】
ホースが挿通される開口部に、合成樹脂製でセレーション部が刻設された第１支持部材が固定されるホルダーと、前記ホースが接続される開口部に、合成樹脂製でセレーション部が刻設された第２支持部材が固定される吐水ヘッドとからなり、前記セレーション部の一方はホルダー又は吐水ヘッドから露出させ、両セレーション部の嵌合で吐水ヘッドをホルダーに着脱自在に支持する吐水ヘッドの支持装置において、前記ホルダーの第１支持部材に金属製の第１ガイド部材を結合し、前記吐水ヘッドの第２支持部材に金属製の第２ガイド部材を結合し、両セレーション部の嵌合と、両ガイド部材の嵌合により、吐水ヘッドをホルダーに着脱自在に支持することを特徴とする吐水ヘッドの支持装置。
【請求項２】
前記ガイド部材の何れか一方に、弾性体を装着したことを特徴とする請求項１記載の吐水ヘッドの支持装置。
【発明の詳細な説明】
【０００１】
【発明の属する技術分野】
本発明は、洗面台又は流し台等で使用され、ホースと共にホルダーに引き出し自在に支持される吐水ヘッドの支持装置に関するものである。
【０００２】
【従来の技術】
従来、洗面台又は流し台等に固定し、吐水ヘッドをホースと共にホルダーから引き出して広い範囲に吐水できるようにした水栓として公知のものに、図４及び図５のものがある。この図４及び図５について説明すると、水栓１は本体２の下部に形成された雄ねじ部５を、洗面台や流し台等のカウンターＡに穿設された取付孔Ｂに挿通し、カウンターＡの下部からナット６を雄ねじ部５に螺着することでカウンターＡに固定されている。前記雄ねじ部５には給水源と連通する給水管７と、給湯源と連通する給湯管８と、本体２に収容されている混合部３で混合された湯水が供給される供給管９とがそれぞれ接続されている。また、水栓１は、前記混合部３と連繋したレバー４を上下又は左右に回転操作することにより、吐水される湯水の流量又は温度を調節するものである。
【０００３】
前記水栓１には本体２から斜め上方に延びるホルダー１２が回転自在に装着されており、該ホルダー１２の内部には、一方を前記供給管９と接続し、他方を湯水が吐水される吐水ヘッド１７と接続したホース１０が挿通されている。前記混合部３で混合された湯水はホース１０を通過し、吐水ヘッド１７の吐水口２１から吐水される。また、吐水ヘッド２１の先端にはボタン２０が設けられており、該ボタン２０を操作することで、吐水ヘッド２１から吐水される湯水の吐水形態を変更するものである。
【０００４】
前記ホルダー１２の先端及び吐水ヘッド１７の基端には、吐水ヘッド１７をホルダー１２の先端に着脱自在に支持するための支持装置Ｄが固定されている。該支持装置Ｄは第１支持部材３１と第２支持部材４１とから構成され、ホルダー１２先端の開口部１３には第１支持部材３１が、吐水ヘッド１７基端の開口部１８には第２支持部材４１が固定されている。
【０００５】
前記第１支持部材３１は、小径部３２と大径部３４とからなる合成樹脂製の略円筒形で、小径部３２の外周面には雄セレーション部３３が刻設されている。大径部３４の内周には、ホース１０の摺動性を良くし、ホルダー１２内部に水滴が入らないようにするためのスリーブ３５が設けられている。第１支持部材３１をホルダー１２先端の開口部１３に挿入した状態では、小径部３２、即ち雄セレーション部３３がホルダー１２から露出した状態となっている。またこの時、ホルダー１２に形成されたねじ孔１６と、第１支持部材３１の大径部３４に形成されたねじ孔３６とが同一軸線上になり、ねじ２２により第１支持部材３１をホルダー１２に固定している。
【０００６】
前記第２支持部材４１は合成樹脂製の略円筒形で、略中央付近には内側に突出した環状の突起４７が形成されており、該突起４７の一方には、前記第１支持部材３１の雄セレーション部３３と嵌合する雌セレーション部４６が刻設され、他方にはホース１０先端に接続された金具１１を収容する環状の収容部４５が形成されている。該収容部４５の外周面には、吐水ヘッド１７に形成された雌ねじ部１９と螺合する雄ねじ部４２が形成されており、雄ねじ部４２の端部には環状の溝４３が形成され、該溝４３にはＯリング等のシール部材４４が装着されている。
【０００７】
前記吐水ヘッド１７は、第２支持部材４１の雌セレーション部４６をホルダー１２に固定された第１支持部材３１の雄セレーション部３３に嵌合させることで、ホルダー１２に着脱自在に支持されている。
【０００８】
上記のものにおいては、吐水ヘッドをホルダーに支持した状態で、ボタンを操作したり、吐水ヘッドに外力が加わると、吐水ヘッドをホルダーに支持している各支持部材にも外力が伝達するが、合成樹脂製の各支持部材は変形してしまい、吐水ヘッドとホルダーの間に隙間が生じてがたつきが発生したり、通常では図５のように破線の位置にある吐水ヘッドが、実線で示す位置に支持角度が変わってしまう恐れがあった。
【０００９】
そこで、各支持部材を寸法精度の高い金属製とすれば、磨耗，変形がなく、嵌合時のがたつきを防止することができるが、第１支持部材の雄セレーション部は、吐水ヘッドをホルダーから引き出すと外部に露出するので、使用者が誤って雄セレーション部の鋭い歯に触れた場合に、怪我をする恐れがあるという問題があった。
【００１０】
【発明が解決しようとする課題】
本発明が解決しようとする課題は、吐水ヘッドをホースと共にホルダーに引き出し自在に支持する吐水ヘッドの支持装置において、吐水ヘッドのがたつきの防止と安全性の向上を図ることである。
【００１１】
【課題を解決するための手段】
本発明は請求項１では、ホースが挿通される開口部に、合成樹脂製でセレーション部が刻設された第１支持部材が固定されるホルダーと、前記ホースが接続される開口部に、合成樹脂製でセレーション部が刻設された第２支持部材が固定される吐水ヘッドとからなり、前記セレーション部の一方はホルダー又は吐水ヘッドから露出させ、両セレーション部の嵌合で吐水ヘッドをホルダーに着脱自在に支持する吐水ヘッドの支持装置において、前記ホルダーの第１支持部材に金属製の第１ガイド部材を結合し、前記吐水ヘッドの第２支持部材に金属製の第２ガイド部材を結合し、両セレーション部の嵌合と、両ガイド部材の嵌合により、吐水ヘッドをホルダーに着脱自在に支持するものである。
【００１２】
請求項２では、前記ガイド部材の何れか一方に、弾性体を装着したものである。
【００１３】
【発明の実施の形態】
以下、本発明の実施の形態を図に基づいて詳細に説明する。本発明は従来例と比較して支持装置を変更したものであるので、従来例に示した構成と同一の構成については同一の符号を用い、詳細な説明を省略する。
【００１４】
図１に示すように、本体２に中空状のホルダー１２が装着された水栓１は、洗面台又は流し台等のカウンターＡに取り付けられ、ホルダー１２先端及び吐水ヘッド１７基端には、吐水ヘッド１７をホルダー１２に着脱自在に支持するための支持装置Ｃが取り付けられている。該支持装置Ｃは、第１ガイド部材５１と第１支持部材６１と第２ガイド部材７１と第２支持部材８１とより構成されており、本実施例では、ホルダー１２先端の開口部１３には、第１ガイド部材５１と第１支持部材６１とが、吐水ヘッド１７基端の開口部１８には、第２ガイド部材７１と第２支持部材８１とがそれぞれ固定されている。
【００１５】
前記第１ガイド部材５１は金属製の略円筒形で、図２及び図３に示すように小径部５３と大径部５５とが鍔部５２を挟んで両側に形成され、ホルダー１２先端の開口部１３に挿入される。この場合、鍔部５２はホルダー１２先端の開口部１３に形成された段部１５に、大径部５５の端部はホルダー１２の内部に突出して形成された凸部１４にそれぞれ当接しており、小径部５３はホルダー１２より突出した状態となる。該小径部５３の先端には、一部を切り欠いた凹部５４が形成されている。また、大径部５５の鍔部５２近傍には、第１ガイド部材５１をホルダー１２先端の開口部１３に挿入した状態で、固定用のねじ２２が螺着されるねじ孔５６が形成されている。大径部５５基端の内周には、ホース１０の摺動性を良くし、ホース１０に付着した水滴がホルダー１２内部に入らないようにするためのスリーブ５８が設けられている。該スリーブ５８と前記ねじ孔５６の間には、水滴を外部へ排出するための水抜き孔５７が形成されている。
【００１６】
前記第１支持部材６１は、外径が第１ガイド部材５１の内径と略同径で、かつホース１０が容易に摺動可能な内径を有する合成樹脂製の略円筒形で、中央付近に前記第１ガイド部材５１の小径部５３の外径と同径の鍔部６２が、外周側に突出して形成されている。該鍔部６２の一方の外周面には雄セレーション部６５が刻設され、他方には外側に僅かに突出した略線状のリブ６４（本実施例では８個）を有する筒部６６が形成されている。また、鍔部６２には筒部６６側に突出した凸部６３が形成されており、該凸部６３を前記第１ガイド部材５１の凹部５４に嵌合させることで、第１支持部材６１を第１ガイド部材５１に挿入する際の方向を常に一定にするものである。また、筒部６６には第１支持部材６１を第１ガイド部材５１に挿入した際に、第１ガイド部材５１のねじ孔５６と同一軸線上になる位置にねじ孔６７が形成されている。
【００１７】
前記第２ガイド部材７１は、外径が吐水ヘッド１７基端の開口部１８の内径と略同径で、内径が前記第１ガイド部材５１の小径部５３の外径と略同径の金属製の円筒形で、一端には第２支持部材８１に螺着するための雌ねじ部７２が形成されている。また、内周の略中央部には環状の溝７３が形成されており、該溝７３にはゴム等の弾性体７４が装着されている。
【００１８】
前記第２支持部材８１は第２ガイド部材７１よりやや小径の合成樹脂製の略円筒形で、内周の中央付近には内側に突出した環状の突起８２が形成されており、一方の内周面には第１支持部材６１の雄セレーション部６５と嵌合する雌セレーション部８３が刻設され、他方にはホース１０先端に接続された金具１１を収容する収容部８４が形成されている。該雌セレーション部８３の外周には、前記第２ガイド部材７１の雌ねじ部７２に螺着して結合させるための第１雄ねじ部８５、及び第２ガイド部材７１の先端と当接する鍔部８６が外側に突出して形成されている。また、収容部８４の外周には、吐水ヘッド１７の開口部１８に形成された雌ねじ部１９と螺合する第２雄ねじ部８７が形成されている。鍔部８６と第２雄ねじ部８７の間には環状の溝８８が形成されており、該溝８８にはＯリング等のシール部材８９が装着されている。
【００１９】
前記支持装置Ｃをホルダー１２及び吐水ヘッド１７に固定するには、第１ガイド部材５１をホルダー１２先端の開口部１３に挿入すると、第１ガイド部材５１の鍔部５２はホルダー１２先端に形成された段部１５に、また、大径部５５の端部はホルダー１２内に形成された凸部１４にそれぞれ当接し、小径部５３はホルダー１２先端より突出した状態となる。
【００２０】
次に、第１支持部材６１の凸部６３が第１ガイド部材５１の凹部５４に嵌合するようにして、第１支持部材６１の鍔部６２が第１ガイド部材５１の小径部５３の先端に当接するまで挿入する。この時、第１支持部材６１の雄セレーション部６５はホルダー１２から露出する。また、ホルダー１２，第１支持部材６１，第１ガイド部材５１に形成されている各ねじ孔１６，６７，５６は同一軸線上となり、外部からねじ２２を螺着することで、第１ガイド部材５１と第１支持部材６１とが結合され、ホルダー１２に固定することができる。
【００２１】
次に、ホース１０先端に接続された金具１１を第２支持部材８１の収容部８４に収容して、ホース１０を第２ガイド部材７１に挿通しておく。そして、該第２支持部材８１の第２雄ねじ部８７を、吐水ヘッド１７の開口部１８に形成された雌ねじ部１９に螺着した後、第２ガイド部材７１の雌ねじ部７２を第２支持部材８１の第１雄ねじ部８５に螺着することで、第２ガイド部材７１，第２支持部材８１を吐水ヘッド１７に固定する。そして、ホース１０を第１ガイド部材５１、第１支持部材６１が接続されたホルダー１２に挿入し、供給管９とホース１０を接続することで、吐水ヘッド１７と水栓１とが接続される。
【００２２】
吐水ヘッド１７をホルダー１２に支持するには、まず、ホルダー１２から露出している第１支持部材６１の雄セレーション部６５と、吐水ヘッド１７に接続している第２支持部材８１の雌セレーション部８３とを嵌合することで位置決めがなされる。
【００２３】
さらに吐水ヘッド１７を挿入していくと、第２ガイド部材７１の内周面が第１ガイド部材５１の小径部５３に嵌合する。この両ガイド部材７１，５１は寸法精度の良い金属製なのでほとんど隙間のない状態で嵌合されており、吐水ヘッド１７はがたつくことなくホルダー１２に支持される。また、第２ガイド部材７１に装着している弾性体７４が第１ガイド部材５１を押圧することで、吐水ヘッド１７ががたつくことなくホルダー１２に支持される。なお、本実施例では吐水ヘッドを支持するホルダーは水栓に装着されていたが、水栓とは別体に形成されていても良い。
【００２４】
以上のように、吐水ヘッドをホルダーに支持する際には、合成樹脂製の両セレーション部だけでなく、金属製のガイド部材も嵌合されるので、吐水ヘッドはがたつくことなく、ホルダーに安定した状態で支持される。
【００２５】
【発明の効果】
本発明は請求項１では、吐水ヘッドのホルダーへの支持を、合成樹脂製の支持部材によるセレーション部での嵌合と、金属製のガイド部材の嵌合により行なうので、吐水ヘッドはがたつくことなく安定した状態でホルダーに支持することができるうえ、吐水ヘッドの引き出し時に外部に露出するセレーション部は、合成樹脂製であるので、セレーション部の歯に手が触れて傷がつくようなことがなく、安心して使用することができる。
【００２６】
請求項２では、前記ガイド部材の何れか一方に、弾性体を装着したので、弾性体が装着されているガイド部材が、他方のガイド部材を押圧することで、吐水ヘッドががたつくことなくホルダーに支持されるものである。
【図面の簡単な説明】
【図１】本発明の支持装置を用いた水栓の説明図である。
【図２】図１の要部拡大断面図である。
【図３】支持装置の分解斜視図である。
【図４】従来技術を示す参考図である。
【図５】図４の要部拡大断面図である。
【符号の説明】
１０                    ホース
１２                    ホルダー
１３                    開口部
１７                    吐水ヘッド
１８                    開口部
５１                    第１ガイド部材
６１                    第１支持部材
６５                    雄セレーション部
７１                    第２ガイド部材
７３                    溝
７４                    弾性体
８１                    第２支持部材
８３                    雌セレーション部
Ｃ                      支持装置
【図１】
0003984848.tif 000002
【図２】
0003984848.tif 000003
【図３】
0003984848.tif 000004
【図４】
0003984848.tif 000005
【図５】
0003984848.tif 000006